(57)【要約】      （修正有）【課題】元の電力供給システムを維持するとともに無停電電源システムの効果を達成することが可能な無停電電源装置を提供する。【解決手段】電源検出装置と、電力供給素子１６ａと、電力駆動モジュール２０ａとによって構成する。前記電源検出装置は、室内電力線１１ａに接続されるとともに、電力信号を発するワイヤレス発射器１４ａにも接続され、前記電力供給素子は、室内電力線が電圧異常信号の状態でも前記電源検出装置と前記ワイヤレス発射器が電力信号を発するために供給される電力エネルギーを貯蔵し、前記電力駆動モジュールは、電子装置３０ａ内に設けられるとともに、前記電力駆動モジュールには、前記ワイヤレス発射器が発する電力信号を受信するワイヤレス受信器２１ａが設けられる。【選択図】図５
0003167266.tif 000002
【実用新案登録請求の範囲】
【請求項１】
電源検出装置と、電力供給素子と、電力駆動モジュールと、電子装置によって構成する無停電電源装置であって、
前記電源検出装置は、室内電力線に接続されるとともに、電力信号を発するワイヤレス発射器にも接続され、
前記電力供給素子は、室内電力線が電圧異常信号の状態でも前記電源検出装置と前記ワイヤレス発射器が電力信号を発するために供給される電力エネルギーを貯蔵し、
前記電力駆動モジュールは、前記電子装置内に設けられるとともに、前記電力駆動モジュールには、前記ワイヤレス発射器が発する電力信号を受信するワイヤレス受信器が設けられることを特徴とする、無停電電源装置。  
【請求項２】
前記無停電電源装置は、電力検出ユニットと、制御ユニットとを備え、前記電力検出ユニットは、前記室内電力線の電力を検出し、
前記制御ユニットは、前記電力検出ユニットから送られた電圧異常信号を受信し、制御信号を前記ワイヤレス発射器に送ることを特徴とする、請求項１に記載の無停電電源装置。
【請求項３】
前記電力駆動モジュールは、駆動モジュールと、充電装置とを備え、
前記駆動モジュールは、前記ワイヤレス受信器に電気的に接続されるとともに電力供給装置を起動させ、前記電力供給装置は電力エネルギーを前記電子装置に送り、
前記充電装置は、前記電力供給装置と電気回路を形成するとともに、前記電力供給装置内部の電力を維持することを特徴とする、請求項１に記載の無停電電源装置。
【請求項４】
前記ワイヤレス発射器から発する電力信号が届く範囲には、少なくとも一つの電力駆動モジュール内のワイヤレス受信器が含まれることを特徴とする、請求項１に記載の無停電電源装置。
【請求項５】
前記電子装置は、通電状態を選択するためのスイッチに接続されることを特徴とする、請求項１に記載の無停電電源装置。
【請求項６】
前記電力駆動モジュールは、電子装置を駆動させるための緊急電力供給機能を備えていることを特徴とする、請求項１に記載の無停電電源装置。
【請求項７】
前記電子装置は、照明器具、或いは無停電電源システムを必要とする電子製品であることを特徴とする、請求項１に記載の無停電電源装置。
【考案の詳細な説明】
【技術分野】
【０００１】
本考案は無停電電源装置に関し、特に元の電力供給システムを維持するとともに無停電電源システムの効果を達成することが可能な無停電電源装置に関する。
【背景技術】
【０００２】
図１を参照する。図１は、従来の無停電電源装置を示したブロック図である。図から分かるように、従来の無停電電源装置は、電力線４１の電力信号の有無を検出し、ワイヤレスで伝送する。従来の無停電電源装置は、電源検出装置４０と電力駆動モジュール４２とによって構成する。電源検出装置４０内には、前記電力信号を発するためのワイヤレス発射器４０１が設けられ、電力駆動モジュール４２内には、ワイヤレス発射器４０１が発した電力信号を受信するワイヤレス受信器４２１が設けられる。ワイヤレス発射器４０１は、検出した電力信号の結果をワイヤレス受信器４２１に送る。ワイヤレス発射器４０１は、一定の発信範囲内で、前記ワイヤレス受信器４２１へ電力信号の有無を継続的に提供する。ワイヤレス受信器４２１が電力信号を受信できない時、ワイヤレス受信器４２１と接続された電力駆動モジュール４２は、電力供給装置を起動させ、それにより、電力供給装置は電子装置に電力を供給して電子装置は作動し続けることができる。上述の構造により、一般の電力供給システムにおいて元の作動方式を維持しつつ、停電時に電力を出力して電子装置の作動を維持することができる。
【０００３】
しかしながら、この技術は、ワイヤレスで電力駆動モジュール４２に通知する機能を有するものの、環境やその他の要素の影響を受けることにより、ワイヤレス発射器４０１がワイヤレス受信器４２１に持続的に信号を送っている間に信号の受信漏れが起きやすく、ワイヤレス発射器４０１が一つの信号を受信しなかったために、停電状態でも電力駆動モジュール１２が電子装置を起動させるという誤動作が起きることがあり、問題である。
【考案の概要】
【考案が解決しようとする課題】
【０００４】
そこで、本考案は、一般的な電力供給システム内の元の作動方式を維持するとともに、停電時でも電力を出力し電子装置を作動させ続けることを可能にした無停電電源装置を提供することを目的とする。
【０００５】
また、本考案は、元の室内の電力配線を維持しつつ、無停電電源システムの機能を達成した無停電電源装置を提供することを目的とする。
【０００６】
また、本考案は、照明と緊急照明を同じ照明器具で供用させることができ、照明器具の使用数を減らし室内の内装の外観を損なわずにすむことを可能にした無停電電源装置を提供することを目的とする。
【課題を解決するための手段】
【０００７】
本考案による無停電電源装置は、電源検出装置と、電力供給素子と、電力駆動モジュールとによって構成する。前記電源検出装置は、室内電力線に接続されるとともに、電力信号を発するワイヤレス発射器にも接続され、前記電力供給素子は、室内電力線が電圧異常信号の状態でも前記電源検出装置と前記ワイヤレス発射器が電力信号を発するために供給される電力エネルギーを貯蔵し、前記電力駆動モジュールは、前記電子装置内に設けられるとともに、前記電力駆動モジュールには、前記ワイヤレス発射器が発する電力信号を受信するワイヤレス受信器が設けられる。
【図面の簡単な説明】
【０００８】
【図１】従来の無停電電源装置を示したブロック図である。
【図２】本考案の実施例１を示したブロック図である。
【図３】室内電力線の電力が正常なときの本考案の動作を示したフローチャートである。
【図４】室内電力線の電力が停止しているときの本考案の動作を示したフローチャートである。
【図５】本考案の実施例２の使用状態を示した説明図である。
【考案を実施するための形態】
【０００９】
（実施例１）
図２を参照する。図２は、本考案の一実施形態を示したブロック図である。図から分かるように、本考案による無停電電源装置は、室内電力線１１における電力信号の有無を検出し、電力信号が検出されなかった場合は、ワイヤレス電力信号を発して電力駆動モジュール２０を起動させる。本考案による無停電電源装置は、電源検出装置１０と、電力駆動モジュール２０と、電子装置３０とによって構成する。
【００１０】
電源検出装置１０は、室内電力線１１に接続され、電源検出装置１０の内部には、電力信号を発するワイヤレス発射器１４が設けられる。電源検出装置１０は、室内電力線１１と接続される交流変圧器１２と、制御ユニット１５とを備える。交流変圧器１２は、室内電力線１１の電力信号状態を検出する電力検出ユニット１３に電気的に接続される。制御ユニット１５は、電力検出ユニット１３から生じた電圧異常信号を受信するとともに、起動信号をワイヤレス発射器１４に送る。電源検出装置１０は、電力供給素子１６内に貯蔵された電力エネルギーを受け取り、この電力エネルギーによって、ワイヤレス発射器１４は室内電力線１１が電圧異常信号の状でもワイヤレス電力信号を発することができる。このワイヤレス電力信号は、ワイヤレス発射器１４によって電力駆動モジュール２０に設けられたワイヤレス受信器２１に送られる。
【００１１】
また、電力駆動モジュール２０は、電子装置３０（照明器具、或いは無停電電源システムを必要とする電子製品）を駆動させる。電力駆動モジュール２０は、ワイヤレス受信器２１と、電力供給装置２２と、駆動モジュール２３と、充電装置２４とによって構成する。
【００１２】
駆動モジュール２３は、ワイヤレス受信器２１に電気的に接続されて電力供給装置２２を起動させる。電力供給装置２２は電力エネルギーを電子装置３０に送る。充電装置２４は、電力供給装置２２と電気回路を形成し、電力供給装置２２内部の電力を維持させる。
【００１３】
電子装置３０は、通電状態を選択するスイッチ３１に電気的に接続される。ワイヤレス発射器１４が発する電力信号が届く範囲には、少なくとも一つの電力駆動モジュール２０内のワイヤレス受信器２１が含まれる。
【００１４】
図３と図４を同時に参照する。図３は、室内電力線の電力が正常なときの本考案の動作を示したフローチャートであり、図４は、室内電力線の電力が停止しているときの本考案の動作を示したフローチャートである。図に示すように、電源検出装置１０は、電力検出ユニット１３により室内電力線１１の電力信号の状態を検出し、室内電力線１１の電圧が正常だった場合、それは室内電力線１１の電力の供給が正常であることを示すため、この時、電力検出ユニット１３は異常信号を発しない。従って、制御ユニット１５は作動せず、ワイヤレス発射器１４は電力異常信号を発せず（ただし、電力が回復し通電をはじめた時に電力回復正常信号を送る時は除く）、それに伴い、電子装置３０に接続された電力駆動モジュール２０も緊急電源供給機能を作動しない。そして、充電装置２４が起動し、充電装置２４によって電力供給装置２２内部の電力が増加及び維持される。なお、スイッチ３１がオフの状態の場合は、充電装置２４の電力供給装置２２に対する充電は行われない。
【００１５】
また、反対に、室内電力線１１の電圧に異常が発生している状態の時、或いは電力が供給されていない時は、電力検出ユニット１３は制御ユニット１５に電圧異常信号を送り、制御ユニット１５はワイヤレス発射器１４に制御信号を送る。この時、室内電力線１１は正常な電力供給ができないため、電力供給素子１６（コンデンサを例にとる）内に貯蔵された電力エネルギーによって、ワイヤレス発射器１４は、室内電力線１１の電圧異常信号の状態の中でも、一定時間電力異常信号を発することができる。なお、電力信号を発する時間の長さは、電力供給素子１６の設計によって決まる。
【００１６】
電子装置３０に接続された電力駆動モジュール２０が、ワイヤレス受信器２１を通じて電力異常信号を受信した時、駆動モジュール２３は電力供給装置２２を起動させ、電力供給装置２２内に貯蔵された電力によって電子装置３０に電力の供給が行われ、作動が維持される。
【００１７】
以上で述べた構造により、一般的な電力供給システムにおいて元の作動方式を維持しつつ、停電した時にでも引き続き電力の出力を行って電子装置３０の作動を維持することができる。
【００１８】
（実施例２）
図５を参照する。図５は、本考案の実施例２の使用状態を示した説明図である。ここでは、電力供給素子１６ａを充電電池にした例で説明を行う。各電子装置３０ａは、通電状態を選択するためのスイッチ３１ａに電気的に接続され、室内電力線１１ａの電圧に異常が発生した状態、或いは、電力を供給できない時、電力検出ユニット１３ａは電圧異常信号を制御ユニット１５ａに送り、制御ユニット１５ａは制御信号をワイヤレス発射器１４ａに送る。室内電力線１１ａは電力を供給できないため、電力供給素子１６ａ内に貯蔵された電力エネルギーによって、ワイヤレス発射器１４ａは、室内電力線１１ａに電圧異常が生じた状態でも電力異常信号を発することができる。なお、電力信号を発する時間の長さは、電力供給素子１６ａの設計によって決まる。
【００１９】
電子装置３０ａに接続された電力駆動モジュール２０ａは、ワイヤレス受信器２１ａによって電力異常信号を受信した時、電子装置３０ａの緊急電力供給機能（照明器具とパソコン本体を例にとる）を起動させることもできる。
【００２０】
また、前述の電力供給素子１６ａは一次電池にすることができる。一次電池により、一時的な電力が提供され、ワイヤレス発射器１４ａは電力信号を送ることができる。
【００２１】
本考案は、以下のような利点がある。
１、停電の時、ワイヤレス発射器１４は、電力供給素子１６の電力供給により作動することができるため、停電により作動できないという問題が生じない。
２、信号の受信漏れにより電子装置３０が誤作動を起こす確率を大幅に下げることができる。また、これと同様な問題も回避できる。
３、ワイヤレス発射器は、電力がある状態の時は信号をワイヤレス受信器に発する必要がなく（電力が回復し通電をはじめた時に電力回復正常信号を送るときを除く）、電力の消耗を抑えることができる。
４、元の電力供給システムを維持しつつ無停電電源システムの効果を得ることができる。
５、元の室内の電力配線を維持しつつ、無停電電源システムの機能を備えさせることができる。
６、複数の電子装置３０に対して同時にワイヤレス信号の伝送を行うことができ、それにより、停電の際、各電力駆動モジュール２０によって各電子装置３０を作動させることができる。
【符号の説明】
【００２２】
（従来）
４０    電源検出装置    
４０１  ワイヤレス発射器    
４１    電力線        
４２    電力駆動モジュール    
４２１  ワイヤレス受信器    
（本考案）
１０          電源検出装置    
１１、１１ａ  室内電力線    
１２          交流変圧器    
１３、１３ａ  電力検出ユニット    
１４、１４ａ  ワイヤレス発射器    
１５、１５ａ  制御ユニット    
１６、１６ａ  電力供給素子    
２０、２０ａ  電力駆動モジュール    
２１、２１ａ  ワイヤレス受信器    
２２          電力供給装置    
２３          駆動モジュール    
２４          充電装置    
３０、３０ａ  電子装置    
３１、３１ａ  スイッチ        
【図１】
0003167266.tif 000003
【図２】
0003167266.tif 000004
【図３】
0003167266.tif 000005
【図４】
0003167266.tif 000006
【図５】
0003167266.tif 000007